(57)【特許請求の範囲】
【請求項１】
ブレスレットを腕時計ケース（１）に固定するためのデバイスであって、前記デバイスは、一方に少なくとも１つのホーン（１０）と、他方にブレスレットストランド（２）とを備え、前記ホーンおよび前記ブレスレットストランド（２）は、バーによってともに保持され、前記ホーン（１０）は、前記ブレスレットストランド（２）に作られた少なくとも１つの凹部（２０）と嵌合するように構成された剛性ブレード（１１）を備え、前記少なくとも１つの凹部（２０）は、剛性リンクを形成するように、前記ブレスレットストランドの配置中に、前記ブレード（１１）を受け入れるための開口部を有し、前記ホーン（１０）は、前記ブレスレットストランド（２）を前記腕時計ケース（１）に保持するために、前記バー（３）が通過する孔（１３）を備え、
前記ブレスレットストランド（２）は、剛性インサート（２１）を備え、前記剛性インサート（２１）は、前記ブレード（１１）を受け入れるための前記凹部（２０）を備え、さらに、前記ホーン（１０）に隣接して、前記ブレスレットストランド（２）のエッジ及び前記バー３のフランジ（３１）を覆う横方向ショルダ（１４）を設けたことを特徴とする、固定デバイス。
【請求項２】
前記ブレード（１１）は、前記腕時計ケース（１）の中央面Ｍに対して２０°から４５°の範囲の角度だけ下向きに傾斜した、請求項１に記載の固定デバイス。
【請求項３】
前記ブレード（１１）の幅は、中央のホーンの幅以下である、請求項１または請求項２に記載の固定デバイス。
【請求項４】
前記ホーン（１０）は、前記腕時計ケース（１）と前記ブレスレットストランド（２）のフック位置を規定するバンキング要素を備えた、請求項１から請求項３のいずれか一項に記載の固定デバイス。
【請求項５】
前記ブレスレットストランド（２）は、柔軟なプラスチック材料で作られ、インサート（２１）は、金属材料または金属合金、セラミック、または複合材料からなる群から選択された硬質材料で作られた、請求項１から請求項４のいずれか一項に記載の固定デバイス。
【発明の詳細な説明】
【技術分野】
【０００１】
本発明は、時計学または宝飾品の分野に関する。より具体的には、ブレスレットを物体、特に腕時計ケースに固定するためのデバイスに関する。
【背景技術】
【０００２】
一般に、革製または金属製のブレスレットは、チューブで形成されたバーによって腕時計ケースのホーンに固定されており、チューブには、平行移動可能な２つのピストンのみならず、上記ピストンの間に配置され、それらをチューブの外側に向かって外向きに打ち込むために傾いた弾性部材が取り付けられている。上記バーは、ブレスレットの一端にこの目的のために設けられた凹部内に取り付けられ、ピストンは、ケースのホーン内で互いに向かい合って作られたブラインドボア内に係合される。
【０００３】
この固定モードを使用したブレスレットの配置および取り外しには、ピストンを格納および保持するためのツールを使用する必要がある。このような操作には、ある程度の器用さを必要とする。さらに、バーがホーンの間に正しく挿入されると、スプリングがこのピンを挿入できるように、ホーンに作られた穴を配置する必要がある。
【０００４】
このような固定モードでは、ブレスレットが中央部分と適切に統合されず、接合部にギャップや欠陥が見える場合がある。
【０００５】
さらに、これらの固定モードは、腕時計に取り付けられると、ブレスレットに過度の動きの自由度を与え、それは、その形態によって、着用者の手首に腕時計を適切に保持することを損なわせ得る。
【発明の概要】
【０００６】
本発明は、ブレスレットを腕時計ケースに固定するためのデバイスを提案することによりこれらの欠点を克服し、このデバイスは、一方に少なくとも１つのホーンと、他方にブレスレットストランドとを備え、ホーンおよびブレスレットは、バーによってともに保持され、ホーンは、ブレスレットストランドに作られた少なくとも１つの凹部と嵌合するように構成された剛性ブレードであって、上記少なくとも１つの凹部は、バーが所定の位置に配置されると、剛性リンクを形成するように、ブレスレットストランドの配置中に、上記ブレードを受け入れるための開口部を有する剛性ブレードと、ブレスレットストランドを腕時計ケースに保持するために、上記バーが通過する孔とを備える。
【０００７】
本発明によれば、ブレスレットストランドは、剛性のインサートを備え、上記インサートは、上記ブレードを受け入れるための凹部を備える。
【０００８】
本発明の他の有利な代替実施形態によれば、
−  ブレードは、腕時計ケースの中央面Ｍに対して２０°から４５°の範囲の角度で下向きに傾斜し、
−  ブレードの幅は、中央のホーンの幅以下であり、
−  ホーンは、腕時計ケースとブレスレットストランドのフック位置を規定するバンキング要素を備え、
−  ブレスレットストランドは、柔軟なプラスチック材料で作られ、インサートは、金属材料または金属合金、セラミック、または複合材料からなる群から選択された硬質材料で作られる。
【０００９】
本発明の他の特徴および利点は、本発明によるブレスレットのための固定デバイスの１つの例示的な実施形態の以下の詳細な説明を読むとより明らかになるであろう。上記例は、添付の図面を参照して与えられ、例示のみを目的とし、本発明の範囲を限定する意図なく提供される。
【図面の簡単な説明】
【００１０】
【図１ａ】本発明による固定デバイスを装備された腕時計ケースの斜視図である。
【図１ｂ】本発明による固定デバイスを装備された腕時計ケースの斜視図である。
【図２ａ】ブレスレットを固定する前の腕時計ケースの断面図である。
【図２ｂ】ブレスレットを固定した後の同じ腕時計ケースの断面図である。
【発明を実施するための形態】
【００１１】
図１は、ブレスレットストランド２の少なくとも一方の端部が取り外し可能に接続されるように意図された腕時計ケース１を示す。
【００１２】
本発明の主題であるリンクデバイスは、図１ｂ、図２ａ、および図２ｂに示されている。このデバイスは、一方に少なくとも１つのホーン１０を備え、他方にブレスレットストランド２を備え、ホーン１０およびブレスレット２は、バー３によってともに保持される。
【００１３】
ホーン１０は、ブレスレットストランドに作られた少なくとも１つの凹部２０と嵌合するように構成された剛性ブレード１１を備え、凹部２０は、バー３が所定の位置に配置されると、剛性リンクを形成するように、ブレスレットストランドの配置中に、上記ブレードを受け入れるための開口部を有する。
【００１４】
ブレード１１の移動を制限するために、ホーン１０は、バンキングとして機能する平坦面１２を含み、ブレード１１がブレスレット２に挿入されると、ブレスレットストランドがこの面に対して押し付けられ、このように、平坦面１２は、ブレスレットストランドと腕時計ケースとのフック位置を規定する。
【００１５】
ホーン１０はさらに、ホーンに隣接し、ブレスレットストランドのエッジを部分的に覆うことを意図され、したがって、バー３とのリンクにおいてギャップが見えないようにする横方向ショルダ１４を備える。
【００１６】
図１に示すように、中央のホーンは、孔１３を備え、その直径は、バー３の軸の直径に対応するため、孔内で自由に回転することができる。
【００１７】
バー３は、バーの各端部にフランジ３１を有する円筒形ロッド３０により形成され、バー３およびフランジ３１は、一度ともに組み立てられると単一の要素を形成する。フランジ３１は、バー３の中空部分に取り付けられた挿入点により、バー３の端部に組み立てることができる。したがって、バーの内側にフランジをクリップ留めするように、挿入点と係合するために、バー３の端部に内側の膨らみが作られる。フランジ３１を固定するための他のモード、たとえば、接着、溶接、さらには打ち込みさえも考慮され得る。打ち込みは、ブレスレットの軸保持要素として機能する。
【００１８】
有利には、バー３のフランジ３１は、横方向ショルダに収容され、バー３が取り付けられると、フランジは突出しない。
【００１９】
本発明によれば、ブレスレットストランド２は、ホーン１０のブレード１１を受け入れるための凹部２０を備える剛性インサート２１を備え、これら２つの要素は、ブレスレットストランドがケースに組み立てられると剛性リンクを形成する。
【００２０】
図２ａおよび図２ｂに示されるように、ブレード１１は、腕時計ケースの中央面Ｍに対して２０°から４５°の範囲の角度だけ下向きに傾斜しており、腕時計を手首にはめた後、ストランドを正しく位置させるために、このような傾斜が必要である。
【００２１】
ブレードの幅は、中央のホーンの幅以下になるように設けられ、組み立て後の隙間を防ぐために、インサート２１の凹部２０の深さと実質的に同一の長さを備える。
【００２２】
図１に示される好ましい実施形態によれば、インサート２１およびブレード１１は、金属材料または金属合金、セラミックまたは複合材料からなる群から選択された硬質材料で作られる。ブレスレットは、柔軟なプラスチック材料、または上記の硬質材料で作ることができる。当業者は、たとえば、金属リンクに凹部２０を機械加工する際、特定の困難に遭遇しないであろう。
【００２３】
図２ｂに示すようにブレスレット２をケース１に固定するには、ブレード１１を、ブレスレットストランドのインサート２１の内側に収納するために、凹部２０の開口部をブレード１１に向けることによって、ホーン１０に一方のストランドの端部を挿入する。
【００２４】
ブレード１１がインサート２１の内側に部分的に配置されると、ユーザは、ホーン１０の平坦面１２に当接するまでストランド２を押す。
【００２５】
次に、ユーザは単に、フランジ３１がストランド２のエッジに当接し、ホーン１０に隣接するショルダ１４の下に位置するまで、バーをストランド２とホーン１０に連続して通して、バー３を配置する必要がある。
【００２６】
このように、保持者は、一度組み立てられると隙間がなく、腕時計を着用しているときに適切に保持されるブレスレットを有する。
【００２７】
前述の実施形態では、インサートは、革、合成繊維、プラスチック、金属、セラミック、または複合材料で作られたブレスレットに配置される。同様に、バー３は、好ましくは金属製であるが、プラスチック、セラミック、または複合材料で作ることもできる。
【００２８】
別の実施形態によれば、剛性ブレード１１と凹部２０とは逆にされる。ブレスレットストランド２は、ホーン１０に作られた少なくとも１つの凹部２０と嵌合するように構成された剛性ブレード１１を備え、上記少なくとも１つの凹部２０は、固定手段が所定の位置に配置されると、剛性リンクを形成するように、ブレスレットストランドの配置中に、上記ブレード１１を受け入れるための開口部を有する。
【００２９】
言うまでもなく、本発明は図示された例に限定されず、当業者に明らかであり得る様々な代替および修正を本発明に加えることができる。
【図１ａ】
0006940693.tif 000002
【図１ｂ】
0006940693.tif 000003
【図２ａ】
0006940693.tif 000004
【図２ｂ】
0006940693.tif 000005